(57)【要約】【課題】本考案は、音声透過構造を有するマスクに関し、話す時にマスクを取り外さずに音声がマスクの外部に伝えられる。【解決手段】マスクは、音声透過孔が設けられるマスク本体１と、音声膜を有する音声透過構造２とを含み、前記マスク内部からの音声は、音声透過孔１０１及び前記音声透過構造２を介してマスクの外部にはっきり伝えられる。【選択図】図６
0003206318.tif 000002
【実用新案登録請求の範囲】
【請求項１】
音声透過孔が設けられるマスク本体と、一枚又は複数枚の音声膜を有する音声透過構造とを含み、前記マスク内部からの音声は、前記音声透過孔及び前記音声透過構造を介してマスクの外部にはっきり伝えられることを特徴とする音声透過構造を有するマスク。
【請求項２】
前記マスク本体は単層或いは多層構造である請求項１に記載の音声透過構造を有するマスク。
【請求項３】
前記音声透過構造は、マスク本体の外面や、マスク本体の内面や、マスク本体の内層と外層の間に設置される請求項１に記載の音声透過構造を有するマスク。
【請求項４】
前記音声透過構造の数量は一つ或いは一つ以上である請求項１に記載の音声透過構造を有するマスク。
【請求項５】
前記音声透過構造は、接合で前記マスク本体に固定される請求項１に記載の音声透過構造を有するマスク。
【請求項６】
前記音声透過構造は、その裏面で粘着剤によって前記マスク本体に貼り付けられる請求項１に記載の音声透過構造を有するマスク。
【請求項７】
前記音声透過構造は、フレームで前記マスク本体に挟まれる請求項１に記載の音声透過構造を有するマスク。
【請求項８】
前記音声膜的材料は、紙、レーヨン、セミシルク、アルミニウム、チタン、ポリエチレンテレフタラート（ＰＥＴ、Ｐｏｌｙｅｔｈｙｌｅｎｅ  ｔｅｒｅｐｈｔｈａｌａｔｅ）、ポリエチレンナフタレート（ＰＥＮ、Ｐｏｌｙｅｔｈｙｌｅｎｅ  Ｎａｐｈｔｈａｌｅｎｅ）、ポリエーテルイミド（ＰＥＩ、Ｐｏｌｙｅｔｈｅｒｉｍｉｄｅ）、ポリウレタン（ＰＵ、Ｐｏｌｙｕｒｅｔｈａｎｅ）、ポリエーテルエーテルケトン（ＰＥＥＫ、ｐｏｌｙａｒｙｌｅｔｈｅｒｋｅｔｏｎｅ）、熱可塑性ポリウレタンエラストマーゴム（ＴＰＵ、Ｔｈｅｒｍｏｐｌａｓｔｉｃ  ｐｏｌｙｕｒｅｔｈａｎｅｓ）、ポリマー材料から選ばれる請求項１に記載の音声透過構造を有するマスク。
【請求項９】
前記音声透過孔の数量は、一つ或いは一つ以上である請求項１に記載の音声透過構造を有するマスク。
【請求項１０】
前記マスクは、布マスク、Ｎ９５マスク、外科用マスク、活性炭マスク或いは紙マスクである請求項１に記載の音声透過構造を有するマスク。
【考案の詳細な説明】
【技術分野】
【０００１】
本考案は、音声透過構造を有するマスクに関し、本考案のマスクによると、話す時にマスクを取り外さずに音声がマスクの外部に伝えられる。
【背景技術】
【０００２】
マスクをつける原因はたくさんあり、例えば、外からの物質が口或いは鼻を通して人体に進入するのを避けることと、空気汚染、病菌、アレルギー源の傷害から人体を保護することなどである。
【０００３】
近年、インフルエンザウイルスの変異で、民衆のインフルエンザウイルスに対する抵抗力が低下し、免疫力が低い人が、一旦インフルエンザに罹患したら、重体になってひいては死亡の可能性もある。マスクをつけると、外部及び内部からの飛沫を遮断でき、更にインフルエンザ等の病気の伝染を低減し、このため、公共交通施設に乗る場合又は医療機関など人込みの場所に入る場合に、マスクをつけるのは、病気の伝染を避ける自己保護の方法の一つである。医療機関において、交叉感染を起こさないように、医師、看護士、病人、病人の家族は、他人と自身を守るため、みんなマスクをつけなければいけない。
【０００４】
工業の発展に伴い、化石燃料を燃やして自動車両を駆動し、発電所で発電するなどの工業活動は、いずれも浮遊粒子、空気微粒子物質、エーロゾル、スモッグ等粒状物質が発生し、これにより、空気汚染の問題がますます厳重になる。粒状物質は、呼吸につれて呼吸システム、血液システム、更に神経システムに入ってしまい、喘息、肺がんなどの病気に関していると認められ、体と健康に大きく影響している。したがって、バイクライダー、歩行者、交通警察は、有害気体、スモッグ或いは他の有害物質を吸入しないように、マスクをつけなければいけず、マスクをつけると、浮遊粒子等の粒状物質を濾過して粒状物質が人体に進入することが避けられる。
【０００５】
花粉症は、花粉をアレルギー源としてアレルギー反応が起こり、主に目、鼻、呼吸道、消化道、皮膚等のアレルギー反応を起こしてアレルギー性喘息になり、症状が厳重になると、窒息による死亡の可能性もあり、したがって、花粉の季節には、アレルギー体質がある人は、自己保護のためマスクをつけている。
【０００６】
今は携帯電話が普及する時代であり、仕事や、家族又は友達との連絡のため、人ごとに携帯電話を持っており、いつでもどこでも携帯電話で連絡できるが、マスクをつけながら携帯電話を使う場合もある。
【０００７】
マスクの基本機能として、環境中の空気汚染物、ＰＭ２．５、花粉、ダスト等をマスクの外部に阻隔するとともに、空気をマスクの内部に進入させて使用者を呼吸させることである。この機能を達成するため、マスクは層状構造になる必要があり、外部からの物質を阻隔するとともに、それぞれの層状構造に複数の微細孔を有することによって空気が進出できる。マスクは人体保護のバリアとして浮遊微粒子、細菌、ウイルス、花粉を阻隔しているが、マスクの多層及び多孔である構造特徴により、消音材のように、音声の周波数の一部が吸収され、したがって、マスクをつけながら話す場合、特に携帯電話で話す場合、以下の二つの可能しかない。（１）マスクを取り外して電話するが、マスクの保護機能が犠牲され、（２）マスクをつけながら電話するが、音声の周波数の一部がマスクに吸収され、音声がはっきり携帯電話に伝えられず、話す内容が相手によく聞こえられないことになる。
【考案の概要】
【考案が解決しようとする課題】
【０００８】
本考案者は、このような矛盾を踏まえ、上記課題を解決する方法として使用者がつける状態で電話するなど話す行為を行え、話す内容が相手によく聞こえられ、話す声をはっきり伝えられながら保護機能に影響しないマスクをデザインする。
【課題を解決するための手段】
【０００９】
本考案の目的は、音声透過孔が設けられるマスク本体と、音声膜を有する音声透過構造とを含み、前記マスク内部からの音声は、前記音声透過孔及び前記音声透過構造を介してマスクの外部にはっきり伝えられることを特徴とする音声透過構造を有するマスクを提供する。
【００１０】
前記考案の目的を達するため、前記マスク本体は、単層或いは多層構造である。
【００１１】
前記考案の目的を達するため、前記音声透過構造は、マスク本体の外面や、マスク本体の内面や、マスク本体の内層と外層の間に設置できる。
【００１２】
前記考案の目的を達するため、前記音声透過構造の数量は一つ或いは一つ以上である。
【００１３】
前記考案の目的を達するため、前記音声透過構造は、接合で前記マスク本体に固定できる。
【００１４】
前記考案の目的を達するため、前記音声透過構造は、その裏面で粘着剤によって前記マスク本体に貼り付けられる。
【００１５】
前記考案の目的を達するため、前記音声透過構造は、フレームで前記マスク本体に挟まれる。
【００１６】
前記考案の目的を達するため、前記音声膜の材料は、紙、レーヨン、セミシルク、アルミニウム、チタン、ポリエチレンテレフタラート（ＰＥＴ、Ｐｏｌｙｅｔｈｙｌｅｎｅ  ｔｅｒｅｐｈｔｈａｌａｔｅ）、ポリエチレンナフタレート（ＰＥＮ、Ｐｏｌｙｅｔｈｙｌｅｎｅ  Ｎａｐｈｔｈａｌｅｎｅ）、ポリエーテルイミド（ＰＥＩ、Ｐｏｌｙｅｔｈｅｒｉｍｉｄｅ）、ポリウレタン（ＰＵ、Ｐｏｌｙｕｒｅｔｈａｎｅ）、ポリエーテルエーテルケトン（ＰＥＥＫ、ｐｏｌｙａｒｙｌｅｔｈｅｒｋｅｔｏｎｅ）、熱可塑性ポリウレタンエラストマーゴム（ＴＰＵ、Ｔｈｅｒｍｏｐｌａｓｔｉｃ  ｐｏｌｙｕｒｅｔｈａｎｅｓ）、ポリマー材料から選ばれる。
【００１７】
前記考案の目的を達するため、前記音声透過孔の数量は、一つ或いは一つ以上である。
【００１８】
前記考案の目的を達するため、前記マスクは、布マスク、Ｎ９５マスク、外科用マスク、活性炭マスク或いは紙マスクである。
【図面の簡単な説明】
【００１９】
【図１】超音波で音声透過構造をマスクに接合している本考案の音声透過構造を有するマスクを模式的に示す図である。
【図２】音声透過構造の裏面で粘着剤によってマスクと接合している本考案の音声透過構造を有するマスクを模式的に示す図である。
【図３】音声透過構造がフレームでマスクに挟まれる本考案の音声透過構造を有するマスクを模式的に示す図である。
【図４】音声透過構造がマスクの三層構造に設置される本考案の音声透過構造を有するマスクを模式的に示す図である。
【図５】音声透過構造の数量が一つ以上である本考案の音声透過構造を有するマスクを模式的に示す図である。
【図６】本考案を使用する状態を模式的に示す図である。
【図７】音声透過構造がマスクの中央部に位置していない本考案の音声透過構造を有するマスクを模式的に示す図である。
【考案を実施するための形態】
【００２０】
以下、実施例で本考案を表示して説明するが、本考案は下記実施例で限定されるものではない。
【００２１】
実施例１
【００２２】
本考案は、音声透過構造を有するマスクであり、図１を参照すると、前記マスクは、マスク本体１と、超音波でマスク本体１の外面に接合される音声透過構造２とを含み、マスク本体１が音声透過構造２と接合する領域に音声伝導用の一つ或いは複数の孔１０１を有し。前記音声透過構造２は、更に音声膜を含み、前記音声膜は振動膜とも称し、その材料は透気材料であり、音声による空気振動につれて振動して音声を音声膜の他の側に伝える。前記マスク装置は、音声膜を含む音声透過構造を有するので、話す時は、図６で示すように、マスク内部の声が音声膜の振動によって完全にマスクの外部にある携帯電話の受話器、マイク等に伝えられる。音声膜の材料は、紙、レーヨン、セミシルク、アルミニウム、チタン、ポリエチレンテレフタラート（ＰＥＴ、Ｐｏｌｙｅｔｈｙｌｅｎｅ  ｔｅｒｅｐｈｔｈａｌａｔｅ）、ポリエチレンナフタレート（ＰＥＮ、Ｐｏｌｙｅｔｈｙｌｅｎｅ  Ｎａｐｈｔｈａｌｅｎｅ）、ポリエーテルイミド（ＰＥＩ、Ｐｏｌｙｅｔｈｅｒｉｍｉｄｅ）、ポリウレタン（ＰＵ、Ｐｏｌｙｕｒｅｔｈａｎｅ）、ポリエーテルエーテルケトン（ＰＥＥＫ、ｐｏｌｙａｒｙｌｅｔｈｅｒｋｅｔｏｎｅ）、熱可塑性ポリウレタンエラストマーゴム（ＴＰＵ、Ｔｈｅｒｍｏｐｌａｓｔｉｃ  ｐｏｌｙｕｒｅｔｈａｎｅｓ）、ポリマー材料或は他の空気振動を伝導できる物質である。
【００２３】
実施例２
【００２４】
図２を参照すると、前記マスクは、マスク本体１と、その裏面で粘着剤によってマスク本体１の内面に粘着して固定する音声透過構造２とを含み、マスク本体１が音声透過構造２と接合する領域に音声伝導用の一つ或いは複数の孔１０１を有し、粒状物質の阻隔効果を向上するため。前記音声透過構造２は、更に音声膜を含み、前記音声膜は振動膜とも称し、その材料は透気材料であり、音声による空気振動につれて振動して音声を音声膜の他の側に伝える。前記マスク装置は、音声膜を含む音声透過構造を有するので、話す時は、図６で示すように、マスク内部の声が音声膜の振動によって完全にマスクの外部にある携帯電話の受話器、マイク等に伝えられる。音声膜の材料は、紙、レーヨン、セミシルク、アルミニウム、チタン、ポリエチレンテレフタラート（ＰＥＴ、Ｐｏｌｙｅｔｈｙｌｅｎｅ  ｔｅｒｅｐｈｔｈａｌａｔｅ）、ポリエチレンナフタレート（ＰＥＮ、Ｐｏｌｙｅｔｈｙｌｅｎｅ  Ｎａｐｈｔｈａｌｅｎｅ）、ポリエーテルイミド（ＰＥＩ、Ｐｏｌｙｅｔｈｅｒｉｍｉｄｅ）、ポリウレタン（ＰＵ、Ｐｏｌｙｕｒｅｔｈａｎｅ）、ポリエーテルエーテルケトン（ＰＥＥＫ、ｐｏｌｙａｒｙｌｅｔｈｅｒｋｅｔｏｎｅ）、熱可塑性ポリウレタンエラストマーゴム（ＴＰＵ、Ｔｈｅｒｍｏｐｌａｓｔｉｃ  ｐｏｌｙｕｒｅｔｈａｎｅｓ）、ポリマー材料或は他の空気振動を伝導できる物質である。
【００２５】
実施例３
【００２６】
本考案は、音声透過構造を有するマスクであり、図３を参照すると、前記マスクは、マスク本体１と、内部と外部フレーム６でマスク本体１に挟まれる音声透過構造２を有し、マスク本体１がフレームで音声透過構造２に挟まれる領域に音声伝導用の一つ或いは複数の孔１０１を有し、粒状物質の阻隔効果を向上するため。前記音声透過構造２は、更に音声膜を含み、前記音声膜は振動膜とも称し、その材料は透気材料であり、音声による空気振動につれて振動して音声を音声膜の他の側に伝える。前記マスク装置は、音声膜を含む音声透過構造を有するので、話す時は、図６で示すように、マスク内部の声が音声膜の振動によって完全にマスクの外部にある携帯電話の受話器、マイク等に伝えられる。音声膜の材料は、紙、レーヨン、セミシルク、アルミニウム、チタン、ポリエチレンテレフタラート（ＰＥＴ、Ｐｏｌｙｅｔｈｙｌｅｎｅ  ｔｅｒｅｐｈｔｈａｌａｔｅ）、ポリエチレンナフタレート（ＰＥＮ、Ｐｏｌｙｅｔｈｙｌｅｎｅ  Ｎａｐｈｔｈａｌｅｎｅ）、ポリエーテルイミド（ＰＥＩ、Ｐｏｌｙｅｔｈｅｒｉｍｉｄｅ）、ポリウレタン（ＰＵ、Ｐｏｌｙｕｒｅｔｈａｎｅ）、ポリエーテルエーテルケトン（ＰＥＥＫ、ｐｏｌｙａｒｙｌｅｔｈｅｒｋｅｔｏｎｅ）、熱可塑性ポリウレタンエラストマーゴム（ＴＰＵ、Ｔｈｅｒｍｏｐｌａｓｔｉｃ  ｐｏｌｙｕｒｅｔｈａｎｅｓ）、ポリマー材料或は他の空気振動を伝導できる物質である。
【００２７】
実施例４
【００２８】
図４を参照すると、外科用マスクのマスク本体は、一般に三層の構造を有し、外部から内部の順番で、外科用マスク第一層１０２は撥水、飛沫防止用の防水層であり、外科用マスク第二層１０３は電気で細菌を阻隔する殺菌層であり、外科用マスク第三層１０４は唾を吸収する吸水層である。音声膜は、外科用マスク第一層１０２と外科用マスク第二層１０３の間に、或いは外科用マスク第二層１０３と外科用マスク第三層１０４の間に設置され、超音波で音声膜をマスク本体に接合し、接合領域には音声伝導用の一つ或いは複数の孔１０１を有し、粒状物質の阻隔効果を向上するため。前記音声透過構造２は、更に音声膜を含み、前記音声膜は振動膜とも称し、その材料は透気材料であり、音声による空気振動につれて振動して音声を音声膜の他の側に伝える。前記マスク装置は、音声膜を含む音声透過構造を有するので、話す時は、図６で示すように、マスク内部の声が音声膜の振動によって完全にマスクの外部にある携帯電話の受話器、マイク等に伝えられる。音声膜の材料は、紙、レーヨン、セミシルク、アルミニウム、チタン、ポリエチレンテレフタラート（ＰＥＴ、Ｐｏｌｙｅｔｈｙｌｅｎｅ  ｔｅｒｅｐｈｔｈａｌａｔｅ）、ポリエチレンナフタレート（ＰＥＮ、Ｐｏｌｙｅｔｈｙｌｅｎｅ  Ｎａｐｈｔｈａｌｅｎｅ）、ポリエーテルイミド（ＰＥＩ、Ｐｏｌｙｅｔｈｅｒｉｍｉｄｅ）、ポリウレタン（ＰＵ、Ｐｏｌｙｕｒｅｔｈａｎｅ）、ポリエーテルエーテルケトン（ＰＥＥＫ、ｐｏｌｙａｒｙｌｅｔｈｅｒｋｅｔｏｎｅ）、熱可塑性ポリウレタンエラストマーゴム（ＴＰＵ、Ｔｈｅｒｍｏｐｌａｓｔｉｃ  ｐｏｌｙｕｒｅｔｈａｎｅｓ）、ポリマー材料或は他の空気振動を伝導できる物質である。
【００２９】
マスクには、一つ或いは一つ以上（図５）の音声透過構造が設けられ、音声透過構造は、マスクの中央部に位置してもよく、或いは携帯電話の受話器が頬の左側又は右側に位置することに応じて音声透過構造を選択的にマスクの左側又は右側位置させてもよい（図７）。
【００３０】
上記詳しい説明は、本考案に係る実行できる実施例に対して具体的な説明であるが、前記実施例は、本考案の特許請求の範囲を限定するものではなく、本考案の技術趣旨から離れない均等的な実行或は変更は、本願の特許請求の範囲にあるべきである。
【００３１】
上記全ての効果は、十分に新規性及び進歩性など特許要件に符合するものであり、特許法にしたがって出願するものであるので、本考案を許可するようお願いいたします。
【符号の説明】
【００３２】
１    マスク本体
１０１  音声透過孔
１０２  外科用マスク第一層
１０３  外科用マスク第二層
１０４  外科用マスク第三層
２    音声透過構造
３    接合
４    粘着剤
５    接着位置
６    フレーム
７    携帯電話
【図１】
0003206318.tif 000003
【図２】
0003206318.tif 000004
【図３】
0003206318.tif 000005
【図４】
0003206318.tif 000006
【図５】
0003206318.tif 000007
【図６】
0003206318.tif 000008
【図７】
0003206318.tif 000009